(57)【要約】【課題】ゼオライト粉による脱臭や調湿などの機能を十分に発揮させることができるような壁紙の提供。【解決手段】ゼオライト粉１４ａとパルプ１４ｂとを混合して造粒形成された多数の機能粒１４を、基材シート１２の上に保持した壁紙１１。つまり、各機能粒１４が、多数のゼオライト粉１４ａとパルプ１４ｂとを有する一つのセルとなって、基材シート１２の上に存在し、機能粒１４中のゼオライト粉１４ａの周囲は、パルプ１４ｂの存在によって通気性を有する状態である。このため、個々のゼオライト粉を取り巻くように合成樹脂等の材料が覆っている場合に比して、存在するゼオライト粉１４ａの機能を効率よく発揮させることができる。【選択図】図１
2008038307.tif 000002
【特許請求の範囲】
【請求項１】
ゼオライト粉と繊維とを混合して造粒形成された機能粒を、基材シートの上に保持した
壁紙。
【請求項２】
前記基材シート上に、合成樹脂を含んでなる下塗層が形成され、
該下塗層の上に、前記機能粒が散布されるとともに上塗層が形成されて、機能粒が保持された
請求項１に記載の壁紙。
【請求項３】
前記繊維がパルプである
請求項１または請求項２に記載の壁紙。
【請求項４】
前記機能粒が表面に凹凸を有する立体形状である
請求項１から請求項３のうちのいずれか一項に記載の壁紙。
【請求項５】
上塗層が酸化チタンの粉体を含有するものである
請求項２から請求項４のうちのいずれか一項に記載の壁紙。
【発明の詳細な説明】
【技術分野】
【０００１】
この発明は、ゼオライト粉が有する機能を十分に発揮させることができるような壁紙に関する。
【背景技術】
【０００２】
ゼオライトが脱臭や有害物質の吸着、調湿等に有効であるということは知られており、様々な物品に利用されている。壁紙もその一つである。
【０００３】
壁紙にゼオライトを用いる例として、下記特許文献１や特許文献２に開示されたものがある。
【０００４】
特許文献１の壁紙は、紙基材にゼオライトを添加（含有）させたものである。また、ゼオライト（無機質材料）からなるコーティング材を紙基材にコーティングして構成したもの（公報の図３および段落［００３３］参照）も記載されている。
【０００５】
特許文献２の壁紙は、シート状の壁紙本体に特定の人工ゼオライトを吸着積層させて構成したものである。吸着積層は、噴霧や刷毛塗布、ロール塗布によって行われる。
【０００６】
このように、ゼオライトを利用した壁紙といっても、基材に対してゼオライト粉を漉き込むか、或いはゼオライト粉を含有した粘着物をコーティングして積層するか、いずれかの方法でゼオライトを存在させるというものであった。
【特許文献１】特開２００１−３０３４９１号公報
【特許文献２】特開２００１−３３６０９５号公報
【発明の開示】
【発明が解決しようとする課題】
【０００７】
しかし、基材に対してゼオライト粉を含有させる場合においては、通気性を確保してゼオライトの機能を発揮させるため、基材は紙、もくしはこれに準ずる性質を有するものである必要があり、選択の幅が狭い。
【０００８】
一方、基材に対してゼオライト粉を含有した粘着物をコーティングして積層する場合には、基材の材料が紙である必要はないが、ゼオライト粉の周囲には合成樹脂等の材料が存在し、ゼオライト粉を被覆している状態となる。このため、通気性が阻害されやすく、ゼオライト粉が有する本来の機能を十分に発揮させることが困難である。
【０００９】
そこで、この発明は、ゼオライト粉の機能を十分に発揮させることができるような壁紙の提供を主たる課題とする。
【課題を解決するための手段】
【００１０】
そのための手段は、ゼオライト粉と繊維とを混合して造粒形成された機能粒を、基材シートの上に保持した壁紙である。たとえば基材シート上に、合成樹脂を含んでなる下塗層が形成され、該下塗層の上に、上記機能粒が散布されるとともに上塗層が形成されて、機能粒が保持される。
【００１１】
このような構成の壁紙では、機能粒が、多数のゼオライト粉と繊維とを有する一つのセルとなって、基材シート上に存在する。そして、機能粒を覆うようにコーティングが施されても、機能粒中のゼオライト粉の周囲は、繊維の存在によって通気性を有する状態であるので、個々のゼオライト粉を取り巻くように合成樹脂等の材料が覆っている場合に比して、存在するゼオライト粉の機能を効率よく発揮させることができる。
【発明の効果】
【００１２】
以上のように、この発明によれば、保持するゼオライト粉の機能を十分に発揮させることができ、機能性の高い壁紙が得られる。
【発明を実施するための最良の形態】
【００１３】
この発明を実施するための一形態を、以下図面を用いて説明する。  
図１は、壁紙１１の構造を示す断面図であり、この壁紙１１には、ゼオライトが用いられて、壁紙１１を張った室内の空気に対して脱臭や有害物質の吸着、調湿などを行うものである。
【００１４】
このような壁紙１１は、裏打紙１２と、下塗層１３と、多数の機能粒１４と、上塗層１５とを有し、上記機能粒１４にゼオライト粉１４ａが含有されている（図２参照）。
【００１５】
裏打紙１２には、織物や和紙や不燃紙など適宜の素材のものが使用できるが、価格等の転から普通紙が好適に用いられる。
【００１６】
下塗層１３は、機能粒１４を固定することができるもので、粘着性を有する適宜の合成樹脂組成物の塗布で形成される。
【００１７】
機能粒１４は、ゼオライト粉１４ａとパルプ１４ｂとを混合して、たとえば図２に図示したような立体的な粒状に形成されたものである。粒は、表面に凹凸を有するものであるとよい。表面積を大きくし機能性を確保できるとともに、製造後の壁紙１１に自然な外観を得られるからである。
【００１８】
ゼオライト粉１４ａには、天然ゼオライト、人工ゼオライト、合成ゼオライトが適宜用いられる。パルプは、木材パルプであるも、非木材パルプであるもよい。ゼオライト粉１４ａとパルプ１４ｂは、周知の方法により混合造粒される。粒径は、たとえば０．１〜１mm程度に設定されるとよい。
【００１９】
なお、上記パルプ１４ｂに代えて、またはパルプ１４ｂとともに、その他の繊維、たとえば炭素繊維などの適宜の機能を発揮する機能性繊維を用いることもできる。
【００２０】
上塗層１５は、機能粒１４を覆うように下塗層１３の上に形成されるもので、適宜の合成樹脂からなる。合成樹脂には、酸化チタン粉１５ａや珪藻土粉１５ｂが混入されるとともに、撥水剤や顔料も混入される。
【００２１】
合成樹脂には、ポリエチレンやポリプロピレンなどのオレフィン系のものが好適に使用できる。より好ましくは、エチレン酢酸ビニル共重合樹脂であるとよい。柔軟で、耐候性がよく、引裂強度、衝撃強度、ストレスクラッキング性に優れ、比重は軽く、透明性も得られるからである。また、焼却しても、有害ガスや黒煙はほとんど発生しないからである。
【００２２】
このような各要素からなる壁紙１１は、裏打紙１２の片面に、押出コーティング等の適宜の方法で下塗層１３を形成した後、これが乾かないうちに機能粒１４を散布して機能粒１４を固定する。このとき、機能粒１４は、図１に示したように下塗層１３の上に面方向に並んだ状態で満遍なく配置される。そして、機能粒１４を固定した下塗層１３の上に、機能粒を覆う上塗層１５を形成して製造される。
【００２３】
このようにして製造された壁紙１１では、機能粒１４が壁紙１１の面方向に並んだ状態で配置されるとともに上塗層１５で覆われるので、機能粒１４が脱落したりすることはなく、また壁紙１１の表面には、機能粒１４の粒径に応じた凹凸ができるので、上塗層１５の性状にもよるが自然な外観を演出できる。
【００２４】
そして、裏打紙１２を壁面に張った使用状態にあっては、上塗層１５に含有された酸化チタンが光を吸収して脱臭等に光触媒効果を発揮するとともに、珪藻土粉１５ｂも有害物質の吸着や調湿等を行い、室内空気の浄化等を行う。また、同時に、機能粒１４中のゼオライト粉１４ａが、室内空気中の悪臭成分や有害物質の吸着を行うとともに、水分を吸着したり吐き出したりして調湿を行う。
【００２５】
このゼオライト粉１４ａは、パルプ１４ｂとともに造粒された機能粒１４内に存在するので、周囲に通気性を有する状態である。このため、個々のゼオライト粉１４ａが合成樹脂等の材料に取り巻かれた状態で存在している場合に比して、ゼオライト粉の機能を効率よく発揮させることができる。この結果、機能性の高い壁紙１１が得られる。
【００２６】
この発明の構成と上記一形態の構成との対応において、  
この発明の繊維は、パルプ１４ｂに対応し、  
基材シートは、裏打紙１２に対応するも、  
この発明は、上記構成のみに限定されるものではなく、その他の様々な形態を採用することができる。
【図面の簡単な説明】
【００２７】
【図１】壁紙の構造を示す断面図。
【図２】機能粒の一部断面斜視図。
【符号の説明】
【００２８】
１１…壁紙
１２…裏打紙
１３…下塗層
１４…機能粒
１４ａ…ゼオライト粉
１４ｂ…パルプ
１５…上塗層
１５ａ…酸化チタン粉
【図１】
2008038307.tif 000003
【図２】
2008038307.tif 000004